(57)【要約】【課題】コンロ本体に対する天板の設置時にコンロ本体側の機能部と天板側の重複部との位置のずれを抑制する。【解決手段】情報の表示および入力操作の検知の少なくとも一方の機能を有する機能部２６を搭載した担持ケース４２をコンロ本体側に設ける。また、コンロ本体に天板３０を設置した状態で機能部２６に重ねられ、使用者による情報の視認や入力操作が可能である重複部３３を天板３０側に設ける。そして、担持ケース４２をコンロ本体に対して左右方向および前後方向に移動可能に支持しておき、重複部３３の周辺および担持ケース４２の何れか一方に、何れか他方に向けて突出した凸部５１を設けると共に、何れか他方に、凸部５１を受け入れる凹部４３を設ける。【選択図】図７
2020186848.tif 000002
【特許請求の範囲】
【請求項１】
コンロ本体の上面を覆って天板が設置されるガスコンロにおいて、
前記コンロ本体側に設けられて、情報の表示および入力操作の検知の少なくとも一方の機能を有する機能部を搭載した担持ケースと、
前記天板側に設けられて、該天板を前記コンロ本体に設置した状態で前記機能部に重ねられ、使用者による前記表示の視認や前記入力操作が可能である重複部と
を備え、
前記担持ケースは、前記コンロ本体に対して左右方向および前後方向に移動可能に支持されており、
前記重複部の周辺および前記担持ケースの何れか一方に、何れか他方に向けて突出した凸部が設けられ、前記何れか他方に、前記凸部を受け入れる凹部が設けられている
ことを特徴とするガスコンロ。
【請求項２】
請求項１に記載のガスコンロにおいて、
前記担持ケースを移動可能な範囲内で所定領域に誘導する弾性体を備える
ことを特徴とするガスコンロ。
【請求項３】
請求項２に記載のガスコンロにおいて、
前記弾性体は、前記担持ケースを左右方向で前記所定領域に誘導する板バネであり、
前記板バネに対して前記担持ケースが前後方向に移動可能に接続されている
ことを特徴とするガスコンロ。
【発明の詳細な説明】
【技術分野】
【０００１】
本発明は、コンロ本体の上面を覆って天板が設置されるガスコンロに関し、特に、天板上で情報表示や入力操作が可能なガスコンロに関する。
【背景技術】
【０００２】
ガスコンロでは、コンロ本体の上面を覆う天板に挿通孔が形成されており、コンロ本体に搭載されたコンロバーナの上部を挿通孔から突出させた構造が一般に知られている。また、システムキッチンのカウンタートップに一体に組み込まれたビルトインタイプのガスコンロが普及しており、設置の際には、カウンタートップに開口した収容空間にコンロ本体を嵌め込んだ後、コンロ本体の上面を覆って天板を取り付けるようになっている。
【０００３】
こうしたガスコンロでは、天板上で火力などの情報の表示や、火力調節などの入力操作を可能とすることが提案されている。例えば、特許文献１のガスコンロでは、情報を表示する機能および入力操作を検知する機能を有するタッチパネルを天板側に備えており、コンロ本体に天板を設置する際に、タッチパネルとコンロ本体側の制御回路とをコネクタで接続するようになっている。
【０００４】
このように天板側にタッチパネルを備えた場合、工場での検査時に天板をコンロ本体に取り付けてタッチパネルと制御回路とをコネクタで接続しなければ動作確認ができない。そこで、タッチパネルなどの機能部をコンロ本体側に備えることとして、その機能部に重ねる表示窓やタッチ領域などの重複部を天板側に設ける構成とすれば、天板を取り付ける前にコンロ本体側だけで機能部の動作確認が可能となる。
【先行技術文献】
【特許文献】
【０００５】
【特許文献１】特開２０１８−１６９０８７号公報
【発明の概要】
【発明が解決しようとする課題】
【０００６】
しかし、上述のようにコンロ本体側に機能部を備えた場合には、たとえコンロ本体に対して天板を高い精度で位置決めしたとしても、天板における重複部の配置のばらつきや、コンロ本体に対する機能部の取り付けのばらつきなどの蓄積によってコンロ本体側の機能部と天板側の重複部との位置のずれが大きくなることがあり、情報表示や入力操作に支障が生じてしまうという問題があった。
【０００７】
この発明は、従来の技術が有する上述した課題に対応してなされたものであり、コンロ本体に対する天板の設置時にコンロ本体側の機能部と天板側の重複部との位置のずれを抑制することが可能なガスコンロの提供を目的とする。
【課題を解決するための手段】
【０００８】
上述した課題を解決するために本発明のガスコンロは次の構成を採用した。すなわち、
コンロ本体の上面を覆って天板が設置されるガスコンロにおいて、
前記コンロ本体側に設けられて、情報の表示および入力操作の検知の少なくとも一方の機能を有する機能部を搭載した担持ケースと、
前記天板側に設けられて、該天板を前記コンロ本体に設置した状態で前記機能部に重ねられ、使用者による前記表示の視認や前記入力操作が可能である重複部と
を備え、
前記担持ケースは、前記コンロ本体に対して左右方向および前後方向に移動可能に支持されており、
前記重複部の周辺および前記担持ケースの何れか一方に、何れか他方に向けて突出した凸部が設けられ、前記何れか他方に、前記凸部を受け入れる凹部が設けられている
ことを特徴とする。
【０００９】
このような本発明のガスコンロでは、コンロ本体に天板を設置する際に、凸部が凹部に挿入されるのに伴ってコンロ本体側の担持ケースが左右方向や前後方向に移動することで、天板の重複部に対する担持ケースの機能部の位置が修正されるので、機能部と重複部との位置のずれを抑制することができる。
【００１０】
上述した本発明のガスコンロでは、担持ケースを移動可能な範囲内で所定領域に誘導する弾性体を備えることとしてもよい。
【００１１】
このようにすれば、弾性体が変形することによって、担持ケース（機能部）の位置の修正のために移動可能な範囲を広く許容しつつ、凸部が凹部に臨む確率の高い所定領域に担持ケースを初期状態として位置させることが可能となる。
【００１２】
また、上述した本発明のガスコンロでは、担持ケースを左右方向で所定領域に誘導する板バネを弾性体として、その板バネに対して担持ケースを前後方向に移動可能に接続しておいてもよい。
【００１３】
このようにすれば、板バネの弾性で左右方向の所定領域に担持ケースを誘導することを可能としつつ、担持ケースの前後方向の移動も確保することができる。
【図面の簡単な説明】
【００１４】
【図１】本実施例のガスコンロ１０を分解した状態を示した斜視図である。
【図２】天板３０をコンロ本体２０に取り付ける際に、係合バネ３４を係合孔２７に挿入する様子を拡大して示した斜視図である。
【図３】コンロ本体２０側の表示基板２６および天板３０側の表示領域３３を拡大して示した説明図である。
【図４】コンロ本体２０側における表示基板２６の設置構造を示した斜視図である。
【図５】基板ケース４２が支持枠４６に取り付けられた状態を示した説明図である。
【図６】天板３０の表示領域３３の下面側を示した斜視図である。
【図７】天板３０をコンロ本体２０に取り付ける際に、天板３０側の凸部５１が基板ケース４２側の凹部４３に挿入される様子を拡大して示した断面図である。
【図８】変形例の基板ケース４２の設置構造を示した説明図である。
【図９】変形例の基板ケース４２と板バネ６０との接続部分を拡大して示した斜視図である。
【発明を実施するための形態】
【００１５】
図１は、本実施例のガスコンロ１０を分解した状態を示した斜視図である。本実施例のガスコンロ１０は、図示しないシステムキッチンのカウンタートップに一体に組み込まれるビルトインタイプであり、上方に向けて開放した箱形状のコンロ本体２０や、コンロ本体２０の上面を覆って設置される天板３０などを備えている。
【００１６】
コンロ本体２０の内部には、燃料ガスを燃焼させる複数のコンロバーナ２１が搭載されている。図示した例では、３つのコンロバーナ２１のうち、手前側の左右に配置された左バーナ２１ａおよび右バーナ２１ｂは共に大きさ（外径）が同じ大バーナであるのに対して、奥側に配置された後バーナ２１ｃは一回り小さい小バーナになっている。
【００１７】
また、コンロ本体２０には、グリル２２が内蔵されており（図示省略）、コンロ本体２０の前面に設けられたグリル扉２２ｄによって、グリル２２の前側を開閉可能になっている。グリル扉２２ｄの右方には、３つのコンロバーナ２１ａ，２１ｂ，２１ｃの各々に対応して、使用者が点火時や消火時、あるいは火力調節時などに操作するコンロ操作ボタン２３ａ，２３ｂ，２３ｃが設けられている。本実施例のガスコンロ１０では、左バーナ２１ａおよび右バーナ２１ｂの火力を火力１〜火力１１の１１段階の中から設定可能であり、後バーナ２１ｃの火力を火力１〜火力９の９段階の中から設定可能である。また、グリル扉２２ｄの左方には、グリル２２の点火時や消火時、あるいは火力調節時に使用者が操作するグリル操作ボタン２４が設けられている。
【００１８】
コンロ本体２０の上部外縁には、外側に向けて折り曲げられたフランジ部２５が形成されている。システムキッチンのカウンタートップに開口する収容空間（図示省略）にコンロ本体２０を落とし込んだ状態では、フランジ部２５がカウンタートップ（収容空間の開口部の外縁）に載置される。また、詳しくは後述するが、コンロ本体２０の上部の手前側には、発光ダイオード（ＬＥＤ）が実装された表示基板２６が設置されており、コンロバーナ２１ａ，２１ｂ，２１ｃの火力についての情報を表示することが可能になっている。
【００１９】
天板３０には、３つのコンロバーナ２１ａ，２１ｂ，２１ｃの各々に臨む位置に、コンロバーナ２１の上部を突出させる挿通孔３１ａ，３１ｂ，３１ｃが開口している。また、天板３０の後部には、グリル２２からの排気を排出するための排気口３２が開口している。さらに、天板３０の前部には、コンロ本体２０の表示基板２６に臨む位置に表示領域３３が設けられており、天板３０をコンロ本体２０に設置した状態で表示基板２６に重ねられて、後述のようにコンロバーナ２１ａ，２１ｂ，２１ｃの火力についての表示を使用者が視認可能となっている。
【００２０】
天板３０の下面には、天板３０の固定用の係合バネ３４が下方に向けて垂設されており、図示した例では、手前側の左右に２つの係合バネ３４を有している。一方、コンロ本体２０の前側のフランジ部２５（前フランジ部２５ｆ）には、左右に２つの係合孔２７が形成されており、天板３０をコンロ本体２０に取り付ける際には、天板３０の３つの挿通孔３１ａ，３１ｂ，３１ｃを３つのコンロバーナ２１ａ，２１ｂ，２１ｃに臨ませて、後述のように係合バネ３４を係合孔２７に挿入し、天板３０をコンロ本体２０上に載置する。そして、天板３０の排気口３２の左右に形成された通し孔３５に固定ネジ３６を通し、コンロ本体２０のフランジ部２５の後部に形成された左右のネジ孔２９に固定ネジ３６に締め込むことで、天板３０をコンロ本体２０に固定する。
【００２１】
天板３０の上面には、コンロバーナ２１ａ，２１ｂ，２１ｃのそれぞれの上方に鍋などの調理容器を置くための五徳３７ａ，３７ｂ，２７ｃが、各挿通孔３１ａ，３１ｂ，３１ｃを囲んで設置される。また、排気口３２を上方から覆う排気口カバー３８が設置され、上述した固定ネジ３６は排気口カバー３８の下に隠れるようになっている。
【００２２】
図２は、天板３０をコンロ本体２０に取り付ける際に、係合バネ３４を係合孔２７に挿入する様子を拡大して示した斜視図である。まず、図２（ａ）には、天板３０をコンロ本体２０に取り付ける前の状態が示されている。尚、図では、コンロ本体２０の内側から見た前面側を表しており、天板３０の図示を省略している。前述したように天板３０の下面には係合バネ３４が垂設されている。係合バネ３４は、金属製の線材を曲げて略Ｕ字型に形成された細工バネであり、上下方向の中央付近に左右の幅を広げた拡幅部３４ａが設けられている。
【００２３】
一方、コンロ本体２０の前フランジ部２５ｆには左右方向に長い係合孔２７が形成されている。また、係合孔２７の下方には、コンロ本体２０の前面板２０ａに左右方向の切れ目を入れて前方（図中の奥側）に突出させることで挿通部２８が形成されており、この挿通部２８の左右の幅は係合バネ３４の拡幅部３４ａよりも狭くなっている。
【００２４】
係合バネ３４を係合孔２７に挿入していくと、拡幅部３４ａの幅が挿通部２８よりも広くなっているので、拡幅部３４ａが挿通部２８の左右両端に当接することで係合バネ３４が内側に撓められ、拡幅部３４ａの幅が狭まる。そして、拡幅部３４ａが挿通部２８を通過すると、係合バネ３４が弾性で戻り、拡幅部３４ａの幅が再び拡がる。そのため、図２（ｂ）に示されるように、拡幅部３４ａの上縁が挿通部２８の左右両端に係合することにより、コンロ本体２０に対して天板３０が位置決めされ、その後、前述したように固定ネジ３６で天板３０が固定される。
【００２５】
図３は、コンロ本体２０側の表示基板２６および天板３０側の表示領域３３を拡大して示した説明図である。まず、図３（ａ）には、コンロ本体２０に設置される表示基板２６が示されている。本実施例の表示基板２６は、左右方向に長い矩形であり、左バーナ２１ａの火力情報を表示するための左ＬＥＤ列４０ａと、右バーナ２１ｂの火力情報を表示するための右ＬＥＤ列４０ｂと、後バーナ２１ｃの火力情報を表示するための後ＬＥＤ列４０ｃとが実装されている。尚、本実施例の表示基板２６は、本発明の「機能部」に相当している。
【００２６】
前述したように左バーナ２１ａおよび右バーナ２１ｂの火力が１１段階（火力１〜火力１１）の中から設定されることと対応して、左ＬＥＤ列４０ａおよび右ＬＥＤ列４０ｂは１１個のＬＥＤ４１で構成されている。同様に、後バーナ２１ｃの火力が９段階（火力１〜火力９）の中から設定されることと対応して、後ＬＥＤ列４０ｃは９個のＬＥＤ４１で構成されている。各ＬＥＤ列４０では、対応するコンロバーナ２１の火力に応じた個数のＬＥＤ４１を左詰めで点灯するようになっており、例えば、火力１であれば左端のＬＥＤ４１を１つ点灯し、火力５であれば左から５つ目までのＬＥＤ４１を点灯し、最大火力であれば全てのＬＥＤ４１を点灯する。
【００２７】
一方、図３（ｂ）には、天板３０に設けられた表示領域３３が示されている。本実施例の表示領域３３には、左ＬＥＤ列４０ａで発する光を透過する左表示窓３３ａと、右ＬＥＤ列４０ｂで発する光を透過する右表示窓３３ｂと、後ＬＥＤ列４０ｃで発する光を透過する後表示窓３３ｃとが設けられている。本実施例の天板３０はガラス製であり、下面の全体的に非光透過性の被膜が施されているが、各表示窓３３ａ，３３ｂ，３３ｃの部分には被膜がなされておらず、光透過性になっている。尚、本実施例の表示領域３３は、本発明の「重複部」に相当している。
【００２８】
また、左表示窓３３ａおよび右表示窓３３ｂの後方（図中の上方）には、火力１〜火力１１のうち１つおきの火力を表す数字（奇数の数字）が描かれている。同様に、後表示窓３３ｃの後方（図中の上方）には、火力１〜火力９のうち１つおきの火力を表す数字（奇数の数字）が描かれている。
【００２９】
このように本実施例のガスコンロ１０では、ＬＥＤ列４０ａ，４０ｂ，４０ｃを実装した表示基板２６をコンロ本体２０側に設置しておき、表示窓３３ａ,３３ｂ,３３ｃを有する表示領域３３を天板３０側に設けたことにより、天板３０側に表示基板２６を設置した場合とは異なり、工場での検査時にコンロ本体２０に天板３０を取り付けなくてもコンロ本体２０側だけで表示基板２６の動作確認（ＬＥＤ４１の点灯確認）が可能である。
【００３０】
ただし、コンロ本体２０に天板３０を取り付ける際には、前述したように天板３０側の係合バネ３４をコンロ本体２０側の係合孔２７に挿入することでコンロ本体２０に対する天板３０の位置決めが可能であるものの、天板３０における表示窓３３ａ,３３ｂ,３３ｃの配置のばらつきや、コンロ本体２０に対する表示基板２６の取り付けのばらつきなどの蓄積によって、コンロ本体２０側のＬＥＤ列４０ａ,４０ｂ,４０ｃと天板３０側の表示窓３３ａ,３３ｂ,３３ｃとの位置のずれが生じ易い。そして、こうした位置のずれが大きくなると、コンロバーナ２１の火力を正しく表示できない事態が生じてしまう。そこで、本実施例のガスコンロ１０では、コンロ本体２０側のＬＥＤ列４０ａ,４０ｂ,４０ｃと天板３０側の表示窓３３ａ,３３ｂ,３３ｃとの位置のずれを抑制するために、以下のような構成を採用している。
【００３１】
図４は、コンロ本体２０側における表示基板２６の設置構造を示した斜視図である。本実施例のガスコンロ１０では、図示されるように表示基板２６を上面に搭載した樹脂製の基板ケース４２を備えており、基板ケース４２の左右の両端には、上面に凹部４３を有する基端部４４が設けられている。また、基端部４４から左右方向の外側に突出した突出部４５が形成されている。尚、本実施例の基板ケース４２は、本発明の「担持ケース」に相当している。
【００３２】
そして、基板ケース４２を支持する支持枠４６がコンロ本体２０に固定されている。本実施例の支持枠４６は、板金で形成されており、左右方向に長い背面４６ｒの両端が斜め前方に折り曲げられると共に、その外側で前方に折り曲げられて左側面４６ａおよび右側面４６ｂが設けられている。
【００３３】
また、図示した例では、左側面４６ａの上部に切欠き部４７が設けられると共に、支持枠４６の内側に向けて水平に折り曲げて左載置面４９ａが形成されている。一方、右側面４６ｂの上部には、貫通孔４８が設けられると共に、支持枠４６の内側に向けて水平に折り曲げて右載置面４９ｂが形成されている。このような支持枠４６は、ビス止めなどによってコンロ本体２０に固定されている。
【００３４】
基板ケース４２を支持枠４６に取り付ける際には、まず、基板ケース４２の右突出部４５ｂを支持枠４６の内側から右側面４６ｂの貫通孔４８に通して右載置面４９ｂに載置する。そして、基板ケース４２の左突出部４５ａを上方から左側面４６ａの切欠き部４７に入れ込んで左載置面４９ａに載置する。
【００３５】
図５は、基板ケース４２が支持枠４６に取り付けられた状態を示した説明図である。図では、基板ケース４２を上方から見た状態を表している。本実施例の基板ケース４２は、左基端部４４ａから右基端部４４ｂまでの外側の幅が、支持枠４６の左側面４６ａと右側面４６ｂとの間隔よりも狭くなっているため、左右方向に移動可能に支持される。また、左突出部４５ａの前後の幅が切欠き部４７の幅よりも狭くなっていると共に、右突出部４５ｂの前後の幅が貫通孔４８の幅よりも狭くなっているため、基板ケース４２は前後方向にも移動可能に支持される。
【００３６】
図６は、天板３０の表示領域３３の下面側を示した斜視図である。前述したように表示領域３３は、天板３０の前部に設けられており、光を透過する表示窓３３ａ，３３ｂ，３３ｃを備えている。図示されるように天板３０の下面には、表示領域３３の周辺に樹脂製の枠体５０が貼付されている。そして、枠体５０には、下方に向けて突出した凸部５１が表示領域３３の左右に一対で設けられている。この凸部５１は、先端側が下方に向けて縮径するテーパー状に形成されており、後述するように天板３０をコンロ本体２０に取り付ける際に基板ケース４２の凹部４３に挿入される。
【００３７】
また、一対の凸部５１の外側に添えて左右一対のガード部５２が下方に向けて突設されている。このガード部５２は、コンロ本体２０に取り付ける前の天板３０が床などに置かれた際に凸部５１よりも先に床などに接するため、凸部５１が折れてしまうのを防止する役割を果たす。
【００３８】
図７は、天板３０をコンロ本体２０に取り付ける際に、天板３０側の凸部５１が基板ケース４２側の凹部４３に挿入される様子を拡大して示した断面図である。尚、図では、左側の凸部５１および凹部４３について示したが、右側についても同様である。まず、図７（ａ）には、凸部５１が凹部４３に挿入される前の状態が示されている。前述したように凸部５１は、天板３０の下面の枠体５０から下方に突出しており、先端側がテーパー状に形成されて下方に向けて縮径している。一方、基板ケース４２の基端部４４の上面に設けられた凹部４３は、上方に向けて拡径するテーパー面が内側に形成されている。
【００３９】
天板３０をコンロ本体２０に取り付ける際には、凸部５１が凹部４３のテーパー面に沿って案内される。このとき、前述したよう基板ケース４２は、コンロ本体２０に対して左右方向および前後方向に移動可能に支持されていることから、凸部５１の中心線と凹部４３の中心線とが重なるように基板ケース４２が移動する。
【００４０】
図７（ａ）に示した例では、凸部５１に対して凹部４３が右方に寄って位置しており、凹部４３への凸部５１の挿入に伴って、基板ケース４２が左方に移動する。そして、図７（ｂ）に示されるように凸部５１が凹部４３に挿入されることにより、天板３０の表示領域３３と基板ケース４２の表示基板２６との位置合わせが完了する。
【００４１】
以上に説明したように本実施例のガスコンロ１０では、表示基板２６を搭載した基板ケース４２がコンロ本体２０に対して左右方向および前後方向に移動可能に支持されており、天板３０をコンロ本体２０に取り付ける際に、天板３０側の凸部５１が基板ケース４２側の凹部４３に挿入されるのに伴って、天板３０の表示領域３３に対する基板ケース４２の表示基板２６の位置が修正されるため、表示窓３３ａ，３３ｂ，３３ｃとＬＥＤ列４０ａ，４０ｂ，４０ｃとの位置のずれを抑制することができる。結果として、表示領域３３で各コンロバーナ２１ａ，２１ｂ，２１ｃの火力を適切に表示することが可能となる。
【００４２】
上述した本実施例のガスコンロ１０には、次のような変形例も存在する。以下では、上述の実施例とは異なる点を中心に変形例について説明する。尚、変形例の説明では、上述の実施例と同様の構成については同じ符号を付して説明を省略する。
【００４３】
図８は、変形例の基板ケース４２の設置構造を示した説明図である。図では、ガスコンロ１０の正面側から基板ケース４２を見た状態を表している。前述した実施例と同様に、変形例の基板ケース４２も支持枠４６に取り付けられるが、図８では、支持枠４６の図示を省略している。
【００４４】
変形例のガスコンロ１０では、金属製の薄板を曲げてＬ字型に形成された板バネ６０を備えている。図示されるように板バネ６０は、長片６０ａが左右に面するように配置されて、下端側の短片６０ｂがビス止めなどでコンロ本体２０に固定されている。一方、長片６０ａの上端側は、基板ケース４２の下面から下方に向けて突設された挟持部６２に挟み込まれることで基板ケース４２と接続されている。尚、変形例の板バネ６０は、本発明の「弾性体」に相当している。
【００４５】
このような板バネ６０は、基板ケース４２に左右方向の力がかかると、撓むことによって基板ケース４２の左右方向の移動を許容することが可能である。そして、基板ケース４２に力がかからなくなると、弾性によって板バネ６０が戻り、基板ケース４２を支持枠４６の左側面４６ａと右側面４６ｂとの間の中央付近に位置させるようになっている。尚、基板ケース４２の左右方向の移動可能範囲は、左基端部４４ａが左側面４６ａに接した状態から右基端部４４ｂが右側面４６ｂに接した状態までの間である（図５参照）。
【００４６】
図９は、変形例の基板ケース４２と板バネ６０との接続部分を拡大して示した斜視図である。まず、図９（ａ）には、基板ケース４２に板バネ６０が接続される前の状態が示されている。前述したように変形例の基板ケース４２の下面からは挟持部６２が突設されており、左右に分割した間に板バネ６０の上部を挟み込む隙間６２ａを有している。また、挟持部６２の片側（図中の右側）には、係止爪６２ｂが設けられている。
【００４７】
一方、板バネ６０の上部には係止孔６０ｃが形成されている。板バネ６０の上部を挟持部６２の隙間６２ａに挿入していくと、係止爪６２ｂが一旦は外側に撓み、いわゆるスナップフィットによって係止孔６０ｃに係止爪６２ｂが嵌まるので、基板ケース４２に対して板バネ６０が抜け止めされる。
【００４８】
図９（ｂ）には、基板ケース４２に板バネ６０が接続された状態で、挟持部６２の上下方向の中央付近で水平に切断した断面が示されている。図示されるように、係止爪６２ｂの前後の幅が板バネ６０の係止孔６０ｃの幅よりも狭くなっているため、板バネ６０に対して基板ケース４２は前後方向に移動可能に接続されている。
【００４９】
以上に説明したように変形例のガスコンロ１０では、弾性体として板バネ６０が基板ケース４２に接続されており、基板ケース４２を左右方向の移動可能な範囲内で所定領域（中央付近）に誘導するようになっている。こうすれば、板バネ６０が撓むことによって、基板ケース４２（表示基板２６）の位置の修正のために移動可能な範囲を広く許容しつつ、天板３０の凸部５１が基板ケース４２の凹部４３に臨む確率の高い所定領域に基板ケース４２を初期状態として位置させることが可能となる。
【００５０】
以上、本実施例および変形例のガスコンロ１０について説明したが、本発明は上記の実施例および変形例に限られるものではなく、その要旨を逸脱しない範囲において種々の態様で実施することが可能である。
【００５１】
例えば、前述した実施例および変形例では、天板３０側に凸部５１が設けられ、基板ケース４２側に凹部４３が設けられていた。しかし、これとは逆に、基板ケース４２側に凸部を設けると共に、天板３０側に凹部を設けることとしてもよい。
【００５２】
また、前述した変形例では、基板ケース４２を誘導する弾性体として板バネ６０を用いていた。しかし、弾性体は、板バネ６０に限られず、コイルバネや柱状のゴム部材などであってもよく、基板ケース４２を左右方向だけでなく前後方向についても所定領域に誘導するようにしてもよい。
【００５３】
また、前述した実施例および変形例では、表示基板２６を搭載した基板ケース４２がコンロ本体２０側に設けられると共に、表示領域３３が天板３０側に設けられて、コンロバーナ２１の火力についての情報を表示するようになっていた。しかし、本発明の適用は、情報を表示する場合に限られず、入力操作を検知する場合にも適用が可能である。例えば、静電容量方式のタッチパネルを搭載した担持ケースをコンロ本体２０側に設けると共に、使用者が入力操作を行うタッチ領域を天板３０側に設けて、タッチパネルにタッチ領域を重ねる場合には、本発明を適用して担持ケースを左右方向および前後方向に移動可能に支持しておくこととして、天板３０側の凸部を担持ケース側の凹部に挿入することにより、タッチパネルとタッチ領域との位置のずれを抑制することが可能となる。
【００５４】
また、前述した実施例および変形例では、基板ケース４２が左右方向および前後方向に移動可能に支持されていたが、上下方向にも移動可能とし、付勢部材を用いて基板ケース４２を天板３０の下面に押し付けるようにしてもよい。特に、上述のタッチパネルを搭載した担持ケースを天板３０のタッチ領域の下面に押し付けることにより、入力操作を検知する精度を高めることができる。
【符号の説明】
【００５５】
１０…ガスコンロ、          ２０…コンロ本体、      ２１…コンロバーナ、
２２…グリル、              ２２ｄ…グリル扉、      ２３…コンロ操作ボタン、
２４…グリル操作ボタン、    ２５…フランジ部、      ２６…表示基板、
２７…係合孔、              ２８…挿通部、          ２９…ネジ孔、
３０…天板、                ３１…挿通孔、          ３２…排気口、
３３…表示領域、            ３３ａ，３３ｂ，３３ｃ…表示窓、
３４…係合バネ、            ３４ａ…拡幅部、        ３５…通し孔、
３６…固定ネジ、            ３７…五徳、            ３８…排気口カバー、
４０ａ，４０ｂ，４０ｃ…ＬＥＤ列、                  ４１…ＬＥＤ、
４２…基板ケース、          ４３…凹部、            ４４…基端部、
４５…突出部、              ４６…支持枠、          ４６ａ…左側面、
４６ｂ…右側面、            ４６ｒ…背面、          ４７…切欠き部、
４８…貫通孔、              ４９…載置面、          ５０…枠体、
５１…凸部、                ５２…ガード部、        ６０…板バネ、
６０ａ…長片、              ６０ｂ…短片、          ６０ｃ…係止孔、
６２…挟持部、              ６２ａ…隙間、          ６２ｂ…係止爪。
【図１】
2020186848.tif 000003
【図２】
2020186848.tif 000004
【図３】
2020186848.tif 000005
【図４】
2020186848.tif 000006
【図５】
2020186848.tif 000007
【図６】
2020186848.tif 000008
【図７】
2020186848.tif 000009
【図８】
2020186848.tif 000010
【図９】
2020186848.tif 000011